(57)【要約】【課題】所望の情報をスクロールして検索する際に、操作にかかる手間を軽減することが可能な「情報検索装置および情報検索方法」を提供する。【解決手段】表示画面を分割してプレイリスト一覧と曲名一覧とを同時に表示しするとともに、曲名一覧の情報数が表示画面に表示可能な情報数よりも多い場合であって、所望のプレイリストが選択されてから所定の時間が経過したときに、選択されているプレイリストの曲名一覧を自動スクロールすることにより、各プレイリストにどのような曲が含まれているか分割画面で確認しやすくし、また、曲数が多く表示画面に１度に表示しきれない場合であっても自動でスクロールして、少ない手間で所望の曲を確認することができるようにする。【選択図】        図２
2007310985.tif 000002
【特許請求の範囲】
【請求項１】
階層構造にて管理されている複数の情報を表示画面に表示して、所望の情報を検索することのできる情報検索装置であって、
上記表示画面を分割し、分割した表示画面の一方に階層構造の上位階層の情報を表示し、他方に下位階層の情報を表示するように制御する表示制御手段と、
上記上位階層で所望の情報が選択されてから所定の時間経過後、上記下位階層の情報を自動でスクロールするように制御するスクロール制御手段とを備えたことを特徴とする情報検索装置。
【請求項２】
上記スクロール制御手段は、上記下位階層の情報数が上記表示画面の他方に１度に表示可能な情報数よりも多い場合に、上記自動でのスクロールを行うことを特徴とする請求項１に記載の情報検索装置。
【請求項３】
上記表示画面に表示された情報を決定する操作がされたことを検出する操作検出手段を備え、
上記上位階層で所望の情報が決定されたことを上記操作検出手段が検出すると、上記表示制御手段は、決定された上記上位階層の情報に対応する上記下位階層の情報を上記表示画面の全体に表示することを特徴とする請求項１または請求項２に記載の情報検索装置。
【請求項４】
上記表示制御手段は、上記下位階層の情報が自動でスクロールされているときに、上記上位階層で所望の情報が決定されたことを上記操作検出手段が検出すると、その決定操作がされた際に上記表示画面の他方に表示されていた状態で、上記下位階層の情報を上記表示画面の全体に表示することを特徴とする請求項３に記載の情報検索装置。
【請求項５】
階層構造にて管理されている複数の情報を表示画面に表示し、所望の情報を検索することのできる情報検索装置において情報を検索する方法であって、
上記表示画面を分割し、分割した表示画面の一方に階層構造の上位階層の情報を表示し、他方に下位階層の情報を表示する第１のステップと、
上記上位階層で所望の情報が選択されてから所定の時間経過後、上記下位階層の情報を自動でスクロールする第２のステップとを有することを特徴とする情報検索方法。
【請求項６】
上記第２のステップで上記下位階層の情報が自動でスクロールされているときに、上記上位階層で所望の情報が決定されたことが検出されると、その決定操作がされた際に上記表示画面の他方に表示されていた状態で、上記下位階層の情報を上記表示画面の全体に表示する第３のステップを有することを特徴とする請求項５に記載の情報検索方法。
【発明の詳細な説明】
【技術分野】
【０００１】
本発明は、情報検索装置および情報検索方法に関し、特に、表示画面を見ながらスクロール操作を行って所望の情報を検索するようになされた装置および方法に用いて好適なものである。
【背景技術】
【０００２】
近年、半導体メモリやハードディスクなどの記録媒体について、小型化・大容量化が進んでいる。そして、このような小型・大容量の記録媒体を搭載した携帯型のオーディオ装置が広く提供されている。この種の携帯型オーディオ装置によれば、多数曲のオーディオデータを記録媒体に録音することにより、多数曲の中から所望の曲を選択して再生することができる。また、携帯型オーディオ装置を車載用のオーディオ装置に接続することにより、車載用のオーディオ装置の表示画面で所望の曲を検索、再生することも可能となっている。
【０００３】
一般に、所望の曲を選択する際には、録音されている曲のリストを表示画面に表示し、操作子の操作によってリストを順次スクロールさせていくことによって、所望の曲を検索する。ところが、記録媒体に録音される曲数が多くなると、その中からリストのスクロールによって所望の曲を探し出すのが大変になる。そこで、プレイリストやアーティスト、アルバム等のリスト中から何れかのリストを指定して絞り込み検索を行う方法が存在する。
【０００４】
例えば、プレイリストでの絞り込み検索を選択すると、表示画面上にプレイリストの一覧が表示される。ユーザはスクロール操作をすることで、プレイリスト一覧の中から希望の曲が含まれると思われるプレイリストを選択し、決定操作を行う。これにより、選択されたプレイリストに含まれる曲の一覧が表示画面上に表示されることになる。ユーザはさらにスクロール操作を行って、曲名一覧の中から希望する曲を検索し、決定する。
【０００５】
このように、従来の情報検索方法では、プレイリスト一覧が表示されているときに、各プレイリストの中にどのような曲が含まれるかは表示されない。そのため、希望する曲が含まれるプレイリストをユーザが覚えていないと、希望する曲が見つかるまで、プレイリストのスクロールと決定操作により、プレイリストを１つ１つ開いて曲名一覧を検索してみなければならず、手間がかかるという問題があった。
【０００６】
また、所望のプレイリストを決定する操作を行ったとき、プレイリスト中に含まれる曲の曲名一覧が表示されるが、このとき曲名一覧には第１曲目である先頭曲から表示されることになる。表示画面上の限られたスペース内では表示できる情報数に限りがあり、希望の曲が先頭曲から離れた位置にある場合には、曲名一覧が表示されてからも希望の曲が見つかるまでスクロール操作を何度も繰り返すことが必要になり、ユーザにとって操作負担が生じていた。
【０００７】
なお、階層が非常に深い階層構造のデータや、同一階層に非常に多くのデータがある階層構造のデータを省スペースで表現可能な技術が提供されている（例えば、特許文献１参照）。この特許文献１に記載の技術によれば、表示画面を分割し、左側に階層構造のツリービューとノードを表示し、右側にツリービューで現在選択中のノード直下のオブジェクトリストを表示することができる。そして、左側の画面の表示領域内にツリー全体を表示できない場合には、初期状態で見えていない部分をスクロール操作により表示することができるようにしている。
【特許文献１】特開２００５−２４２９４４号公報
【発明の開示】
【発明が解決しようとする課題】
【０００８】
しかしながら、この特許文献１において、左側の画面にツリービューの全体が表示しきれない場合については説明されているものの、右側の画面において、表示領域内に全てのオブジェクトリストが表示しきれない場合については何ら言及していない。例えば、左画面と同様にスクロール操作を行える場合であっても、所望のオブジェクトを見つけるためには、まず、左側画面でスクロール操作をして所望のノードを選択し、さらにまた右画面でもオブジェクトリストをスクロール操作しなければならず、上記したプレイリストの検索と同様に多くの手間が生じるという問題があった。
【０００９】
本発明は、このような問題を解決するために成されたものであり、所望の情報をスクロールして検索する際に、操作にかかる手間を軽減できるようにすることを目的とする。
【課題を解決するための手段】
【００１０】
上記した課題を解決するために、本発明では、階層構造にて管理されている複数の情報を表示画面に表示するとき、表示画面を分割して階層構造の上位階層の情報と下位階層の情報とを同時に表示し、上位階層で所望の情報が選択されてから所定の時間が経過すると、下位階層の情報を自動でスクロールするようにしている。
【００１１】
また、本発明の他の態様では、下位階層が自動でスクロールされているときに、上位階層で所望の情報を決定する操作を受け付けると、決定操作がされた際に表示画面の他方に表示されていた状態で、下位階層の情報を表示画面の全体に表示するようにしている。
【発明の効果】
【００１２】
上記のように構成した本発明によれば、上位階層および下位階層の情報が表示画面上に同時に表示されるようになるため、上位階層に属する下位階層の情報として、どのような情報が存在しているかを容易に把握することができるようになる。また、下位階層の情報を表示画面に１度に全て表示しきれない場合であっても、自動でスクロールされるため、ユーザが手動でスクロール操作を行わなくとも下位階層の内容を確認することが可能となる。
【００１３】
さらに、本発明の他の特徴によれば、自動スクロール中に表示画面の一方に表示されていた上位階層の情報の決定操作がされると、下位階層の情報が表示画面の他方に表示されていた状態で画面全体に表示されるようになるため、その状態から手動でのスクロール操作を行えばよく、検索作業にかかる手間を軽減することができる。  
【発明を実施するための最良の形態】
【００１４】
以下、本発明の一実施形態を図面に基づいて説明する。図１は、本発明による情報検索装置を実施したＡＶ（Audio Visual）システム１０の構成例を示す図である。図１に示すように、本実施形態のＡＶシステム１０は、携帯型音楽プレーヤ２０および車載用の音響再生装置３０を備えて構成されている。携帯型音楽プレーヤ２０を音響再生装置３０に接続することにより、音響再生装置３０において携帯型音楽プレーヤ２０に記憶されている多数曲の中から所望の曲を検索して再生することができる。
なお、音響再生装置３０は、図示しないＣＤプレーヤ、ＭＤプレーヤ、ラジオチューナ等が接続されており、それらの機器からの音楽情報等を再生することも可能となっている。
【００１５】
携帯型音楽プレーヤ２０は、ハードディスク２１（以下、ＨＤ２１と記す。）、データ読取部２２、インターフェイス２３（以下、Ｉ／Ｆ２３と記す。）を備えている。また、音響再生装置３０は、インターフェイス３１（以下、Ｉ／Ｆ３１と記す。）、メモリ３２、表示装置３３、表示制御部３４、スクロール制御部３５、音声出力部３６、スピーカ３７を備えている。
【００１６】
携帯型音楽プレーヤ２０のＨＤ２１には多数の曲（音楽データ）が記憶されている。各音楽データには、曲名、ジャンル名、アルバム名、アーティスト名等のデータが付加情報として付加されている。また、いくつかの音楽データを集めてプレイリストが作成されている。例えば、ＣＤ（Compact Disc）の収録曲をＨＤ２１に録音すると、そのアルバムの収録内容を表すプレイリストが作成され、ＨＤ２１に記録される。ＨＤ２１内の曲は、このプレイリストによって整理される。
【００１７】
再生時には、画面上に表示されたいくつかのプレイリストの中からユーザが所望のプレイリストを選択することにより、ＨＤ２１に録音されている曲をアルバム単位で再生することができるようになっている。また、選択したプレイリストの中から所望の曲を選択することにより、その選択した曲を再生することも可能となっている。なお、プレイリストは、アルバム単位のほか、アーティスト単位やジャンル単位など、ユーザが自分の好みに応じて任意に作成することも可能である。
【００１８】
プレイリストと曲名は、ＨＤ２１内において階層構造にて管理されている。すなわち、プレイリストは上位階層の情報として管理され、各プレイリストに含まれる音楽データの曲名は、それぞれのプレイリストに属する下位階層の情報として管理されている。
【００１９】
データ読取部２２は、ＨＤ２１に記憶されている音楽データやその付加情報、プレイリスト等を読み取ってＩ／Ｆ２３へ送る。Ｉ／Ｆ２３は、音響再生装置３０のＩ／Ｆ３１との間で各種コマンドやデータ等のやり取りを行う。具体的には、Ｉ／Ｆ２３は、音響再生装置３０からコマンドを受け取り、それをデータ読取部２２に出力する。これに応じてデータ読取部２２は、ＨＤ２１に記憶されている音楽データ等を読み取ってＩ／Ｆ２３へ送る。そして、Ｉ／Ｆ２３は、データ読取部２２から受け取った音楽データ等を音響再生装置３０に伝送する。音響再生装置３０のＩ／Ｆ３１は、携帯型音楽プレーヤ２０のＩ／Ｆ２３から伝送された音楽データ等を受け取って、それをメモリ３２に格納する。
【００２０】
表示装置３３は、表示パネル３３ａ（本発明の表示画面に相当）およびタッチパネル３３ｂ（本発明の操作検出手段に相当）を備えている。表示パネル３３ａは、例えば液晶パネルにより構成されており、メモリ３２に格納されているプレイリストの一覧や曲名の一覧等を表示することができる。
【００２１】
タッチパネル３３ｂは、表示パネル３３ａの前面に重ね合わされ、ユーザによるタッチ操作を検出する。ここで、タッチパネル３３ｂをユーザが触れたか否かを検出するためには、例えば抵抗膜方式や赤外線方式等が使用される。また、タッチパネル３３ｂは、当該パネルへのユーザのタッチ位置を検出してその座標データを出力する。ユーザは、タッチパネル３３ｂへタッチ操作で、表示パネル３３ｂに表示されるプレイリストや曲名をスクロールしたり、所望のプレイリストや曲を決定する操作をしたりすることができる。スクロール操作や決定操作についての詳細は後述する。
【００２２】
表示制御部３４（本発明の表示制御手段）は、表示パネル３３ａに対するプレイリスト一覧、曲名一覧等の情報の表示を制御する。このとき表示制御部３４は、階層構造となっているプレイリストと曲名の一覧を表示するときに、表示画面を分割し、分割した表示画面の一方にプレイリスト一覧、他方に曲名一覧を同時に表示する。また、プレイリストの決定操作をトリガとして、表示画面の全体に曲名一覧を表示する。
【００２３】
スクロール制御部３５（本発明のスクロール制御手段）は、タッチパネル３３ｂへのタッチを通じた手動によるスクロールおよび、本実施形態の特徴である自動でのスクロールを制御するものである。自動スクロールに関して、スクロール制御部３５は、分割された表示画面の一方に表示されたプレイリスト一覧の中から所望のプレイリストが選択されてから所定の時間が経過した後、表示画面の他方に表示されている曲名一覧を自動でスクロールする。
【００２４】
図２は、本実施形態による表示画面の一例を示す図である。以下、表示制御部３４およびスクロール制御部３５の動作を、図２を用いて具体的に説明する。タッチパネル３３ｂへのタッチ操作により、プレイリストを用いた情報検索の指定が行われると、表示制御部３４は、図２（ａ）に示すように、表示パネル３３ａの画面を左右に２分割し、画面の一方（表示画面の左側）にはプレイリストの一覧を表示する。また、画面の他方（表示画面の右側）には、選択中のプレイリスト直下の曲名一覧をプレイリストと同時に表示する。
【００２５】
図２（ａ）では、初期状態の表示画面例として、先頭のプレイリストおよび先頭曲を、それぞれ一覧中の中央に表示している。また、図２（ａ）で示すように、分割画面でのスクロール対象はプレイリストであり、先頭のプレイリストにカーソル（白黒反転表示されている部分）が位置している。図２（ａ）の表示画面で行われるスクロールは、ユーザによる手動スクロールである。すなわち、ユーザは、例えば、図２（ａ）に示す表示画面左側の三角の操作子４０，５０へのタッチ操作により、表示パネル３３ａに表示されるプレイリスト一覧の手動スクロールを指示することができる。
【００２６】
例えば、スクロール制御部３５は、操作子４０へのタッチ操作を検出すると、表示画面内のカーソルを上にスクロールする。また、操作子５０へのタッチ操作を検出すると、スクロール制御部３５は、表示画面内のカーソルを下にスクロールする。さらに、カーソルが表示画面の一番下または一番上まできた場合には、スクロール制御部３５は、表示画面に表示しきれていないプレイリストをスクロールして表示させる。例えば、図２（ｂ）は、操作子５０へのタッチ操作により、プレイリストが下方にスクロールされた様子を表している。プレイリストはループ状になっていて、最後尾のプレイリストの次には、先頭のプレイリストが表示されるようになっている。カーソルを移動して所望のプレイリストを選択すると、選択されたプレイリストに属する曲の曲名一覧が表示画面右側に表示されるようになっている。
【００２７】
次に、自動スクロールについて説明する。スクロール制御部３５は、操作子４０，５０へのタッチ操作によって、所望のプレイリストが選択されてから（所望のプレイリストの位置にカーソルの位置が合わせられてから）、所定の時間が経過したか否かを判断する。また、スクロール制御部３５は、選択されたプレイリストに含まれる曲の数が、表示パネル３３ａの表示画面右側に１度に表示可能な曲数より多いか否かを判断する。
【００２８】
そして、スクロール制御部３５は、表示画面左側で所望のプレイリストが選択されてから所定の時間が経過したと判断し、かつ、選択されたプレイリストに含まれる曲数が、表示画面右側に表示可能な曲数よりも多いと判断した場合に、図２（ｃ）に示すように、表示画面右側に表示されている曲名一覧を自動でスクロールする。
【００２９】
自動スクロールは、先頭曲を一覧の中央に表示した初期画面の状態から行われるようになっている。また、曲名一覧もループ状になっていて、最後尾の曲名の次には先頭曲の曲名が表示されるようになっている。なお、図２（ｃ）では、曲名一覧を上方向に自動でスクロールする様子を表しているが、下方向にスクロールするようにしてもよい。
【００３０】
図２（ｂ）のように表示画面左側においてプレイリスト一覧が手動でスクロールされているとき、あるいは、図２（ｃ）のように表示画面右側において曲名一覧が自動でスクロールされているときに、ユーザが表示画面左側のプレイリストへタッチ操作することで、タッチしたプレイリストの決定操作をすることができる。
【００３１】
表示制御部３４は、タッチパネル３３ｂから出力される座標データに応じて、タッチパネル３３ｂへのタッチ操作により、所望のプレイリストを決定する操作がされたことを検出すると、図２（ｄ）に示すように、決定されたプレイリスト直下の曲名一覧を表示パネル３３ａの画面全体に表示する。このとき表示制御部３４は、図２（ｄ）に示すように、プレイリストの決定操作がされたときに表示画面右側に表示されている曲名一覧の状態で、表示パネル３３ａの画面全体へ曲名一覧を表示する。
【００３２】
例えば、図２（ｂ）の状態でプレイリストの決定操作が行われた場合、表示制御部３４は、プレイリスト中の先頭曲を一覧の中央に表示した初期状態で、曲名一覧を表示画面の全体に表示する。また、図２（ｃ）の状態でプレイリストの決定操作が行われた場合、表示制御部３４は、そのとき表示画面右側に表示されていたのと同じ状態で、曲名一覧を表示画面の全体に表示する。このように曲名一覧を画面全体に表示することで、ユーザにとって見やすい表示となる。
【００３３】
このようにして、分割された画面から画面全体への表示に移行すると、スクロール制御手段３５は、操作子４０，５０へのタッチ操作による曲名一覧の手動スクロール操作を受け付ける。図２（ｄ）のように表示画面全体において曲名一覧が手動でスクロールされているときに、ユーザが所望の曲名へタッチ操作をすることで、タッチした曲の決定を指示することができる。音声出力部３６は、決定された曲の音楽データをメモリ３２から読み出して処理することにより、アナログ音声信号を生成し、これをスピーカ３７に出力する。
【００３４】
次に、上記のように構成した本実施形態による情報検索装置の動作を説明する。図３および図４は、本実施形態による情報検索装置の動作例を示すフローチャートである。
【００３５】
図３において、音響再生装置３０の図示しないコントローラは、ユーザのタッチパネル３３ｂへのタッチ操作により、プレイリストを用いた情報検索を指定する操作が行われたか否かを判断する（ステップＳ１）。ここで、プレイリストを用いた情報検索を指定する操作が検出できない場合には、ステップＳ１の処理を繰り返す。
【００３６】
一方、ステップＳ１において、プレイリストを指定する操作が検出された場合、コントローラは、Ｉ／Ｆ３１から携帯型音楽プレーヤ２０に向けて所定のコマンドを出力することにより、ＨＤ２１に記憶されている曲のプレイリストおよび曲名を取得し、これをメモリ３２に格納する。そして、表示制御部３４は、メモリ３２に格納された情報を基に、プレイリスト一覧と、カーソルの位置によって選択されているプレイリスト直下にある曲の曲名一覧とを、図２（ａ）に示すように表示パネル３３ａに同時に表示する（ステップＳ２）。
【００３７】
このとき、スクロール制御部３５は、プレイリストを手動でスクロールするための、操作子４０，５０へのタッチ操作が検出されたか否かを判断する（ステップＳ３）。ここで、操作子４０，５０へのタッチ操作が検出されないと判断した場合は、ステップＳ３の処理を繰り返す。一方、操作子４０，５０へのタッチ操作が検出されたと判断した場合には、スクロール制御部３５は、図２（ｂ）に示すように、画面左側のカーソルまたはプレイリストをスクロールして表示するよう表示制御部３４に指示する。指示を受けた表示制御部３４は、画面左側のカーソルまたはプレイリストをスクロールして表示するとともに、スクロール操作で選択されるプレイリスト直下の曲名一覧を画面右側において順次切り替えて表示する（ステップＳ４）。
【００３８】
このとき、スクロール制御部３５は、曲名一覧の情報数が表示パネル３３ａの右画面の表示領域に一度に表示可能な情報数よりも多いか否かを判断する（ステップＳ５）。ここで、曲名一覧の情報数が右画面の表示領域に表示可能な情報数よりも多いと判断した場合、スクロール制御部３５は、次に、現在表示されている曲名一覧の上位階層であるプレイリストが選択されてから、所定の時間が経過したか否かを判断する（ステップＳ６）。
【００３９】
ここで、所定の時間が経過したと判断した場合、スクロール制御部３５は、右画面に表示された曲名一覧を自動でスクロールするよう表示制御部３４に指示する。これにより表示制御部３４は、表示パネル３３ａの右画面における曲名一覧を自動スクロールして表示する（ステップＳ７）。ここで、スクロール制御部３５は、操作子４０，５０へのタッチ操作により手動でのスクロールが行われたか否かを判断する（ステップＳ８）。
【００４０】
また、ステップＳ５で、曲名一覧の情報数が右画面の表示領域に表示可能な情報数以内であるとスクロール制御部３５が判断した場合は、ステップＳ６，Ｓ７の処理は行わずにステップＳ８の処理に移行し、プレイリストの手動でのスクロール操作が検出されたか否かを判断する。
【００４１】
そして、プレイリストの手動でのスクロール操作がなされたとスクロール制御部３５が判断すると、ステップＳ４の処理に戻る。一方、プレイリストの手動でのスクロール操作が行われていないと判断された場合には、表示制御部３４は、ユーザのタッチパネル３３ｂへのタッチ操作により、所望のプレイリストを決定する操作が検出されたか否かを判断する（ステップＳ９）。ここで、プレイリストを決定する操作が検出されない場合には、ステップＳ７の処理に戻る。
【００４２】
一方、表示制御部３４は、プレイリストを決定する操作が検出されたと判断した場合、決定されたプレイリスト直下の曲名一覧を表示パネル３３ａの画面全体に表示する（ステップＳ１０）。このとき表示制御部３４は、図２（ｄ）に示すように、プレイリストの決定操作がなされたときに表示パネル３３ａの右画面に表示されていた曲名一覧の状態で、画面全体に表示する。
【００４３】
ここで、スクロール制御部３５は、ユーザによる操作子４０，５０へのタッチ操作により、画面全体に表示された曲名一覧の手動でのスクロール操作が行われたか否かを判断する（ステップＳ１１）。ここで、手動でのスクロール操作が検出されたと判断すると、スクロール制御部３５は、カーソルまたは曲名をスクロールするよう表示制御部３４に指示する。指示を受けた表示制御部３４は、カーソルまたは曲名をスクロールして表示パネル３３ａに表示する（ステップＳ１２）。
【００４４】
このとき、表示制御部３４は、表示パネル３３ａに表示されている曲名へのタッチ操作により、所望の曲を決定する操作が検出されたか否かの判断を行う（ステップＳ１３）。ここで、曲の決定操作が行われていないと判断した場合には、ステップＳ１１の処理へ戻る。一方、曲を決定する操作が検出されたと判断した場合には、音響再生装置３０が有する図示しないコントローラは、Ｉ／Ｆ３１から携帯型音楽プレーヤ２０に向けて所定のコマンドを出力することにより、決定された曲の音楽データをＨＤ２１から取得し、これをメモリ３２に格納する。そして、音声出力部３６は、メモリ３２に格納された音楽データを再生して、スピーカ３７に出力する（ステップＳ１４）。
【００４５】
また、ステップＳ６において、プレイリストが選択されてから所定の時間が経過していないとスクロール制御部３５が判断した場合には、スクロール制御部３５は、プレイリストを手動でスクロールするための、操作子４０，５０へのタッチ操作が検出されたか否かを判断する（ステップＳ１５）。ここで、手動でのスクロール操作が検出された場合は、ステップＳ４の処理へ戻る。
【００４６】
一方、手動でのスクロール操作が検出されない場合には、表示制御部３４は、ユーザのタッチパネル３３ｂへのタッチ操作により、所望のプレイリストを決定する操作が検出されたか否かを判断する（ステップＳ１６）。ここで、プレイリストを決定する操作が検出されないと判断した場合には、ステップＳ６の処理へ戻る。また、プレイリストを決定する操作が検出されたと判断した場合には、ステップＳ１０の処理に移行する。
【００４７】
以上詳しく説明したように、本実施形態では、プレイリストの一覧と、選択されたプレイリスト直下の曲名の一覧とが同時に表示されるため、選択したプレイリストにどのような曲が含まれているかを容易に把握することが可能となる。また、表示パネル３３ａに１度に曲名が表示しきれない場合であっても、曲名一覧が自動でスクロールされるようになるため、ユーザは自ら手動でスクロール操作をすることなく所望の曲があるか否かを確認することができるようになる。
【００４８】
また、プレイリストの決定操作が検出されると、決定操作されたときに表示されていた状態で曲名一覧を画面全体に表示した状態に移行するため、ユーザは毎回先頭曲からスクロール操作をする必要がなくなり、スクロール操作の手間が軽減されることになる。これにより、少ない手間で所望の曲を選択して決定することが可能となる。さらに、本実施形態の情報検索装置を車載用の音響再生装置３０に適用しているので、車内での操作性の向上を図ることができ、安全な運転に貢献できる。
【００４９】
なお、上記実施形態では、階層構造にて管理されている情報の例として、プレイリストと曲名について説明したが、これに限られるものではない。例えば、ＤＶＤ（Digital Versatile Disc）に記録されているチャプタリストとファイルリスト、パーソナルコンピュータのハードディスクに記録されているフォルダとファイルなど、階層構造で複数の情報が管理されている装置には何れも本実施形態の情報検索装置を適用することが可能である。
【００５０】
また、上記実施形態では、情報検索装置を適用する例として、音響再生装置３０に携帯型音楽プレーヤ２０を接続したＡＶシステム１０の例を説明したが、これに限られるものではない。すなわち、一方の電子機器に記録されている情報を他方の電子機器が取得してリスト表示する例に限らず、一の電子機器に記録されている情報を当該一の電子機器にてリスト表示する場合にも、本実施形態の情報検索装置を適用することが可能である。例えば、音響再生装置３０やホームオーディオ装置などが有するハードディスクにおいて階層構造で管理される複数の情報を用いてリスト表示するようにしてもよい。
【００５１】
また、上記実施形態では、ユーザが手動でスクロールを行うための指示、所望のプレイリストや曲を決定するための指示を行う手段としてタッチパネル３３ｂを使用した例について説明したが、これに限られるものではない。例えば、リモートコントローラを用いても良いし、音響再生装置３０の筐体に備え付けられた操作子を用いても良い。
【００５２】
また、上記実施形態では、図４のステップＳ１３において、図２（ｄ）に示す曲名一覧の全画面表示で所望の曲が決定されたことを検出したときに、その曲の音楽データを携帯型音楽プレーヤ２０から取得して再生する例について説明したが、これに限定されない。例えば、図４のステップＳ９または図３のステップＳ１６において、図２（ｂ）または（ｃ）に示すプレイリスト一覧で所望のプレイリストが決定されたことを検出したときに、そのプレイリストに属する複数の曲の音楽データを携帯型音楽プレーヤ２０から取得して、あらかじめメモリ３２に格納しておくようにしても良い。この場合、ステップＳ１３において所望の曲が決定されたことを検出したときに、その曲の音楽データをメモリ３２から読み出して再生するのみならず、その曲に続けてプレイリスト中の曲を順次再生するようにしても良い。
【００５３】
また、上記実施形態では、所望の曲の決定は、図２（ｄ）に示す曲名一覧の全画面表示においてのみ行う例について説明したが、これに限定されない。例えば、図２（ａ）または（ｂ）の分割表示画面において、右画面に表示された曲名一覧の中から所望の曲を決定する操作を行うようにしても良い。
【００５４】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００５５】
【図１】本発明の情報検索装置を実施したＡＶシステムの構成例を示す図である。
【図２】本実施形態の表示画面の一例を示す図である。
【図３】本実施形態による情報検索装置の動作例を示すフローチャートである。
【図４】本実施形態による情報検索装置の動作例を示すフローチャートである。
【符号の説明】
【００５６】
１０  ＡＶシステム
２０  携帯型音楽プレーヤ
２１  ハードディスク
２２  データ読取部
２３  インターフェイス
３０  音響再生装置
３１  インターフェイス
３２  メモリ
３３  表示装置
３３ａ  表示パネル
３３ｂ  タッチパネル
３４  表示制御部
３５  スクロール制御部
３６  音声出力部
３７  スピーカ
【図１】
2007310985.tif 000003
【図２】
2007310985.tif 000004
【図３】
2007310985.tif 000005
【図４】
2007310985.tif 000006